(57)【要約】【課題】強い入射角依存性を有するバンドパスフィルタを使用する場合であっても、不所望な波長の光を出してしまう可能性を極小化できる発光ダイオードランプを提供する。【解決手段】発光ダイオード２０と、一部を欠いた回転放物面で規定された反射面３４および光を外部へ放射する開口３６を有するリフレクタ３０と、発光ダイオード２０の発光中心Ｃが回転放物面の焦点Ｆの位置と一致するように発光ダイオード２０を保持するとともに、反射面３４を規定する回転放物面の欠けた部分を含むようにしてリフレクタ３０と組み合わされるヒートシンク５０と、リフレクタ３０の開口３６を覆い、回転放物面の回転軸ＲＣＬと互いに直交する入光側平面５２を有するバンドパスフィルタ６０とで発光ダイオードランプ１０を構成することにより、上記課題を解決できる。【選択図】図２
2019012091.tif 000002
【特許請求の範囲】
【請求項１】
発光ダイオードと、
一部を欠いた回転放物面で規定された反射面、および、前記反射面で反射した前記発光ダイオードからの光を外部へ放射する開口を有するリフレクタと、
前記発光ダイオードの発光中心が前記回転放物面の焦点位置と一致するように前記発光ダイオードを保持するとともに、前記反射面を規定する前記回転放物面の欠けた部分を含むようにして前記リフレクタと組み合わされるヒートシンクと、
前記リフレクタの前記開口を覆い、前記回転放物面の回転軸と互いに直交する入光側平面を有するバンドパスフィルタとを備える発光ダイオードランプ。
【請求項２】
前記回転放物面の前記回転軸と互いに平行な角度で前記リフレクタの前記開口側から見たときに前記発光ダイオードを直視できないようにする遮光部材をさらに備えている請求項１に記載の発光ダイオードランプ。
【請求項３】
前記遮光部材は、前記反射面で反射せずに前記開口から出る光を遮る形状となっていることを特徴とする請求項２に記載の発光ダイオードランプ。
【請求項４】
前記遮光部材は、前記ヒートシンクにおける前記発光ダイオードよりも前記開口側に位置する部分であることを特徴とする請求項２または３に記載の発光ダイオードランプ。
【請求項５】
前記遮光部材における前記発光ダイオードからの光に照らされる部分の表面には、光吸収層が設けられていることを特徴とする請求項２から４のいずれか１項に記載の発光ダイオードランプ。
【請求項６】
前記発光ダイオードからの光のピーク波長は９００ｎｍ以上１１００ｎｍ以下であることを特徴とする請求項１から５のいずれか１項に記載の発光ダイオードランプ。
【発明の詳細な説明】
【技術分野】
【０００１】
本発明は、例えば可視光の放射を効率的に制限した発光ダイオードランプに関する。
【背景技術】
【０００２】
従来の白熱灯（例えば、ハロゲンランプ）に比べて、消費電力が低く、かつ、長寿命といった長所を有する発光ダイオードは、需要者のエコロジー意識の高まりとともに、省エネ対策のひとつとしてその使用範囲が急速に広まっており、特にセンサー等に使用される比較的小型の光源として発光ダイオードが使用されるようになっている。
【０００３】
例えば、特許文献１に記載された発光ダイオードランプでは、バンドパスフィルタを用いて発光ダイオードから放射される光に含まれる可視光を除去する技術が開示されている。
【先行技術文献】
【特許文献】
【０００４】
【特許文献１】特開２０１３−１８６０９５号公報
【発明の概要】
【発明が解決しようとする課題】
【０００５】
ところで、赤外線センサー等に使用されているAlGaAs系の赤外線発光ダイオードは、発光量のピークに対応する波長が十分に赤外線領域にある場合であっても、発光波長分布が可視光側に長く延びる傾向にあることから、当該赤外線発光ダイオードからの光にも可視光が含まれている。
【０００６】
センサーとして使用する場合、発光ダイオードランプからの光には可視光が含まれずセンサー用の発光ダイオードランプが点灯しているのかどうかがわからない方が好まれる傾向にある。
【０００７】
不要な波長の光をカットしたい場合は一般にバンドパスフィルタが使用されており、センサー用の発光ダイオードランプの場合もバンドパスフィルタを使用することで大部分の可視光をカットすることができる。
【０００８】
しかしながら、バンドパスフィルタには、所定の角度よりも大きい入射角で入ってきた光に対してはフィルタ機能を発揮できない（以下、これをバンドパスフィルタの「入射角依存性」という。）傾向があることがわかった。さらに、この傾向は基板の表面に光学薄膜を成膜したバンドパスフィルタにおいて顕著であることもわかった。この光学薄膜のバンドパスフィルタは、例えば吸収によって透過する光を選択するバンドパスフィルタに比べて、カットする波長とカットしない波長との境界波長が明確であることから、光学薄膜のバンドパスフィルタを使用したいという要望が多い。
【０００９】
本発明は、このような従来技術の問題に鑑みて開発されたものである。それゆえに本発明の主たる課題は、強い入射角依存性を有するバンドパスフィルタを使用する場合であっても、不所望な波長の光を出してしまう可能性を極小化できる発光ダイオードランプを提供することにある。
【課題を解決するための手段】
【００１０】
本発明の一局面によれば、
発光ダイオードと、
一部を欠いた回転放物面で規定された反射面、および、前記反射面で反射した前記発光ダイオードからの光を外部へ放射する開口を有するリフレクタと、
前記発光ダイオードの発光中心が前記回転放物面の焦点位置と一致するように前記発光ダイオードを保持するとともに、前記反射面を規定する前記回転放物面の欠けた部分を含むようにして前記リフレクタと組み合わされるヒートシンクと、
前記リフレクタの前記開口を覆い、前記回転放物面の回転軸と互いに直交する入光側平面を有するバンドパスフィルタとを備える発光ダイオードランプが提供される。
【００１１】
好適には、前記回転放物面の前記回転軸と互いに平行な角度で前記リフレクタの前記開口側から見たときに前記発光ダイオードを直視できないようにする遮光部材をさらに備えている。
【００１２】
好適には、前記遮光部材は、前記反射面で反射せずに前記開口から出る光を遮る形状となっている。
【００１３】
好適には、前記遮光部材は、前記ヒートシンクにおける前記発光ダイオードよりも前記開口側に位置する部分である。
【００１４】
好適には、前記遮光部材における前記発光ダイオードからの光に照らされる部分の表面には、光吸収層が設けられている。
【００１５】
好適には、前記発光ダイオードからの光のピーク波長は９００ｎｍ以上１１００ｎｍ以下である。
【発明の効果】
【００１６】
本発明によれば、リフレクタの反射面を構成する回転放物面の焦点位置に発光中心が一致するように発光ダイオードが保持されている。これにより、当該発光ダイオードからの光は反射面で反射することによって回転放物面の回転軸に平行な平行光となって開口から出る。一方、バンドパスフィルタはリフレクタの開口を覆うように配置されており、かつ、バンドパスフィルタの入光側平面は回転放物面の回転軸と互いに直交するようになっている。つまり、リフレクタの開口から出る平行光はバンドパスフィルタの入光側平面に対してほぼ垂直（入射角がほぼゼロ度）で入射するようになる。
【００１７】
したがって、バンドパスフィルタが大きな入射角依存性（例えば、入射角が５°以下の光しかフィルタとしての能力を発揮しない。）を有している場合であっても、発光ダイオードランプから不所望な波長の光を出してしまう可能性を極小化できる。
【００１８】
なお、本明細書の全体を通して、「回転放物面」とは厳密な数学的定義に基づく回転放物面に限定されるものではなく、発明の意義を没却しない範囲であれば、反射面で反射した光の平行度合いが多少低くなる面であっても「回転放物面」に含まれる。
【００１９】
また、同じく本明細書の全体を通して、「バンドパスフィルタの入光側平面が回転放物面の回転軸と互いに直交する」とは厳密な意味での「直交」に限定されるものではなく、発明の意義を没却しない範囲であれば、多少の傾きがあっても「直交」に含まれる。
【図面の簡単な説明】
【００２０】
【図１】本発明が適用された発光ダイオードランプ１０の一例を示す平面図である。
【図２】本発明が適用された発光ダイオードランプ１０の一例を示す断面図である。
【図３】本発明が適用された発光ダイオードランプ１０の一例を示す断面図である。
【図４】変形例に係る発光ダイオードランプ１０を示す断面図である。
【図５】他の変形例に係る発光ダイオードランプ１０を示す断面図である。
【図６】他の変形例に係る発光ダイオードランプ１０を示す断面図である。
【図７】他の変形例に係る発光ダイオードランプ１０を示す平面図である。
【図８】他の変形例に係る発光ダイオードランプ１０を示す平面図である。
【図９】他の変形例に係る発光ダイオードランプ１０を示す平面図である。
【図１０】他の変形例に係る発光ダイオードランプ１０を示す断面図である。
【図１１】ヒートシンク５０に対する発光ダイオード２０の取り付け態様の例を示す断面図である。
【発明を実施するための形態】
【００２１】
（発光ダイオードランプ１０の構成）
以下、本発明が適用された発光ダイオードランプ１０について説明する。なお、各符号に関し、以下の説明では、同一構造のものが複数個使用されている場合、各構造を上位概念として説明する場合にはアルファベットの枝番を付けずアラビア数字のみで示し、各構造を互いに区別する必要がある場合（すなわち下位概念で示す場合）にはアルファベット小文字の枝番をアラビア数字に続けて付すことにより区別する。
【００２２】
この発光ダイオードランプ１０は、図１および図２に示すように、大略、発光ダイオード２０と、リフレクタ３０と、ヒートシンク５０と、バンドパスフィルタ６０とを備えている。
【００２３】
発光ダイオード２０は、外部から電力を受け取ることによって所定のピーク波長の光を放出する電子部品である。本実施例では、発光ダイオード２０として、ピーク波長が９００ｎｍ以上１１００ｎｍ以下の赤外線光を発する１つの発光ダイオード素子２２と、当該発光ダイオード素子２２から放出された光を所定の開き角にまとめるレンズ２４とで構成されたものを使用しているが、発光ダイオード素子２２が発する光のピーク波長はこれに限定されるものではないし、また、複数の発光ダイオード素子を並べたものを発光ダイオード２０に使用してもよい。
【００２４】
リフレクタ３０は、ガラスやアルミニウム等の金属で形成されたリフレクタ本体３２と、発光ダイオード２０から放出された光を反射させる反射面３４と、反射面３４で反射した光を外部へ放射するための開口３６とを有している。
【００２５】
反射面３４は、一部を欠いた回転放物面（パラボラ）で構成されている。具体的に説明すると、本実施例に係るリフレクタ３０の反射面３４は、回転軸ＲＣＬを有する回転放物面を、当該回転軸ＲＣＬを含む平面ＰＡに平行な切断面ＰＢで切断することによって得られた大小２つの回転放物面の一部のうち、大きい方（つまり、回転軸ＲＣＬを含む方）で規定されている。換言すれば、反射面３４は、小さい方の回転放物面の一部を欠いたようになっている。なお、回転軸ＲＣＬを含む平面ＰＡと切断面ＰＢとの間の距離Ｄは、発光ダイオード２０の底面から発光中心までの距離と一致している。
【００２６】
ヒートシンク５０は、本実施例の場合、略直方体状に形成されており、ひとつの側面の表面に発光ダイオード２０が配設および保持されている（以下、この側面を「発光ダイオード配設側面５２」という。）。この発光ダイオード配設側面５２は、リフレクタ３０の反射面３４を規定する切断面ＰＢと一致するように形成されている。また、ヒートシンク５０は、発光中の発光ダイオード２０からの熱を受け取り、この熱を拡散および放散する役割を有している。このため、ヒートシンク５０は熱伝導性の高い材料で形成するのが好ましい。
【００２７】
また、ヒートシンク５０をリフレクタ３０と組み合わせたとき、ヒートシンク５０の発光ダイオード配設側面５２上に配設された発光ダイオード２０の発光中心Ｃがリフレクタ３０の反射面３４を規定する回転放物面の焦点Ｆの位置と一致するようになっている。
【００２８】
さらに、ヒートシンク５０の全体形状は、当該ヒートシンク５０をリフレクタ３０と組み合わせたとき、リフレクタ３０の反射面３４を規定する回転放物面の欠けた部分（つまり、回転軸ＲＣＬを含まない小さい方の回転放物面の一部）をヒートシンク５０が含むようになっている（図中の点線Ｒを参照）。
【００２９】
これにより、リフレクタ３０の反射面３４およびヒートシンク５０の発光ダイオード配設側面５２で周囲が囲われたひとつの凹所３８が形成され、この凹所３８内に発光ダイオード２０が位置することになる。この結果、発光ダイオード２０からの光が不所望に周囲に漏れることなく、開口３６およびバンドパスフィルタ６０を通して外部に出ることになる。また、ヒートシンク５０が発光ダイオードランプ１０の外側に露出しているので、発光中の発光ダイオード２０からの熱がヒートシンク５０を介して外部へ放出されやすいという利点もある。
【００３０】
なお、図示していないが、ヒートシンク５０は、発光ダイオード２０に給電する給電回路も備えている。この給電回路は、ヒートシンク５０の表面上に形成されていてもよいし、ヒートシンク５０の内部に形成されていてもよい。もちろん、給電ケーブル等で発光ダイオード２０に直接給電してもよい。
【００３１】
バンドパスフィルタ６０は、所定範囲の波長の光のみを透過させ、その範囲外の波長の光は透過させない（遮断する）機能を有する薄板材である。本実施例の場合、可視領域の波長を有する光（可視光）を遮断する機能を有する多層膜で構成されたバンドパスフィルタ６０が使用されている。もちろん、バンドパスフィルタ６０が透過させる光の波長の範囲は発光ダイオードランプ１０に求められる光の波長に応じて決定される。
【００３２】
先に述べたように、バンドパスフィルタ６０には「入射角依存性」があり、このバンドパスフィルタ６０に対して所定の角度よりも大きい入射角で入ってきた光は遮断することができない。例えば、本実施例に係るバンドパスフィルタ６０の入射角依存性は約５°である。すなわち、バンドパスフィルタ６０の入光側平面６２に対して５°よりも大きな入射角で入った可視光はこのバンドパスフィルタ６０で遮断されることなく発光ダイオードランプ１０から出ることになる。
【００３３】
本実施例のバンドパスフィルタ６０はリフレクタ３０の開口３６を覆い、このバンドパスフィルタ６０の入光側平面６２は、反射面３４を規定する回転放物面の回転軸ＲＣＬと互いに直交するようになっている。
【００３４】
（発光ダイオードランプ１０の組立）
発光ダイオードランプ１０の組立の手順を簡単に説明する。先ず、所定の形状に成形したヒートシンク５０における発光ダイオード配設側面５２に発光ダイオード２０を配設する。ヒートシンク５０に対する発光ダイオード２０の配設方法は特に限定されるものではないが、発光中に生じる発光ダイオード２０の熱が効率よくヒートシンク５０に伝導するような配設方法を選択するのが好適である。例えば、熱伝導率の高い接着剤で発光ダイオード２０をヒートシンク５０の表面に接着することが考えられる。また、ヒートシンク５０に対する発光ダイオード２０の配設とともに、発光ダイオード２０への給電回路の実装を行う。
【００３５】
然る後、ヒートシンク５０をリフレクタ３０と組み合わせ、最後に、リフレクタ３０（より正確には、ヒートシンク５０をリフレクタ３０と組み合わせることによってできた凹所３８）の開口３６を覆うようにバンドパスフィルタ６０を配設して、発光ダイオードランプ１０が完成する。
【００３６】
（発光ダイオードランプ１０の特徴）
本実施例に係る発光ダイオードランプ１０によれば、リフレクタ３０の反射面３４を構成する回転放物面の焦点Ｆの位置に発光ダイオード２０の発光中心Ｃが一致するように発光ダイオード２０が保持されている。これにより、図３に示すように、当該発光ダイオード２０からの光は反射面３４で反射することによって回転放物面の回転軸ＲＣＬに平行な平行光となって開口３６から出る。一方、バンドパスフィルタ６０はリフレクタ３０の開口３６を覆うように配置されており、かつ、バンドパスフィルタ６０の入光側平面６２は回転放物面の回転軸ＲＣＬと互いに直交するようになっている。つまり、リフレクタ３０の開口３６から出る平行光はバンドパスフィルタ６０の入光側平面６２に対してほぼ垂直（入射角がほぼゼロ度）で入射するようになる。したがって、バンドパスフィルタ６０が強い入射角依存性を有している場合（つまり、許容されうる入射角の範囲が狭い場合）であっても、発光ダイオードランプ１０から不所望な波長の光を出してしまう可能性を極小化できる。
【００３７】
（変形例１）
図４に示すように、上記実施例に係る発光ダイオードランプ１０の構成に、遮光部材７０，７２，７４のうち少なくともひとつを加えてもよい。この遮光部材７０，７２，７４は、回転放物面の回転軸ＲＣＬと互いに平行な角度（つまり、発光ダイオードランプ１０の正面）から発光ダイオードランプ１０を見たときに発光ダイオード２０を直視できないようにするための部材である。なお、遮光部材７０，７２，７４は、発光ダイオード２０からの光を遮光できるものであれば特にその材質が限定されるものではなく、例えば、金属、不透明樹脂、セラミック材等が考えられる。
【００３８】
遮光部材７０，７２，７４の長さは、例えば、遮光部材７０のように、ヒートシンク５０における発光ダイオード配設側面５２に対応する位置から少なくとも発光ダイオード２０の発光中心Ｃまでを遮光するようになっている。これに代えて、遮光部材７２のように、ヒートシンク５０の発光ダイオード配設側面５２に対応する位置から発光ダイオード２０を構成するレンズ２４の先端までにしてもよい。さらに言えば、遮光部材７４のように、発光ダイオード２０の発光中心Ｃと反射面３４の開口３６側端とを結ぶ直線ＬＬまで長くしてもよい。遮光部材７４のように長くすることで、発光中心Ｃから出て反射面３４で反射することなく直接開口３６に向かう光（つまり、バンドパスフィルタ６０に対して大きな入射角で入る光）を遮断することができる。
【００３９】
また、遮光部材７０を配設する位置は、発光ダイオード２０の上方（開口３６に向かう方向）であればどの位置でもよい。図４には、ヒートシンク５０における発光ダイオード配設側面５２から突設された遮光部材７２，７４と、バンドパスフィルタ６０の上方表面に沿って配設された遮光部材７０とを示しているが、いずれかひとつを選択すればよい。また、遮光部材７０，７２，７４に当たった光が反射して不所望な角度で開口３６から出るのを避けるため、遮光部材７０，７２，７４における発光ダイオード２０に対向する面に光吸収材を設けてもよい。
【００４０】
（変形例２）
さらに、図４に示したようにヒートシンク５０とは別個の遮光部材７０，７２，７４を配設するのではなく、図５に示すように、発光ダイオード２０の上方に位置する少なくとも一部のヒートシンク５０を反射面３４に向かって突出させることにより、ヒートシンク５０における発光ダイオード配設側面５２の上下方向断面において段７６を設けてこれを遮光部材７８とすることで、ヒートシンク５０と遮光部材７８とを一体に形成してもよい。これにより、図４に示したように、遮光部材７０，７２，７４をヒートシンク５０とは別体として形成するのと同様の効果を得ることができる。また、遮光部材７８に当たった光が反射して不所望な角度で開口３６から出るのを避けるため、段７６における発光ダイオード２０に対向する面に光吸収材を設けてもよい。
【００４１】
（変形例３）
また、ヒートシンク５０と遮光部材７８とを一体に形成する他の例として、図６に示すように、ヒートシンク５０における発光ダイオード配設側面５２の上下方向断面形状を傾斜させてもよい。具体的に説明すると、発光ダイオード２０の発光中心Ｃの位置は反射面３４を規定する回転放物面の焦点Ｆの位置と一致させつつ、発光ダイオード配設側面５２の開口３６側端（上方端）が少なくとも発光ダイオード２０の発光中心Ｃに対応する位置となるように発光ダイオード配設側面５２の上下方向断面形状を回転軸ＲＣＬに対して傾ける。これにより、発光ダイオード２０よりも上方に位置する発光ダイオード配設側面５２の全体を遮光部材７８として機能させることができる。また、遮光部材７８に相当する面に当たった光が反射して不所望な角度で開口３６から出るのを避けるため、当該面に光吸収材を設けてもよい。
【００４２】
（変形例４）
上述した実施例では、リフレクタ３０の反射面３４は、回転軸ＲＣＬを含む平面ＰＡに平行な切断面ＰＢで当該回転軸ＲＣＬを有する回転放物面を切断することによって得られた大小２つの回転放物面の一部のうち、大きい方（つまり、回転軸ＲＣＬを含む方）で規定されているが、反射面３４は一部を欠いた回転放物面で規定されていればこの態様に限定されるものではない。例えば、図７に示すように、回転放物面の回転軸ＲＣＬを中心として４分の１（中心角度９０°に相当する部分）を欠いたような反射面３４であってもよく、また、図８に示すように、回転放物面の回転軸ＲＣＬを中心として８分の１（中心角度４５°にほぼ相当する部分）を欠いたような反射面３４であってもよい。いずれの場合でも、ヒートシンク５０をリフレクタ３０と組み合わせたとき、当該ヒートシンク５０がリフレクタ３０の反射面３４を規定する回転放物面の欠けた部分を含むようになっている（図７および図８の点線Ｒを参照）。
【００４３】
これにより、リフレクタ３０の反射面３４およびヒートシンク５０の発光ダイオード配設側面５２で周囲が囲われたひとつの凹所３８が形成され、この凹所３８内に発光ダイオード２０が位置することになる。この結果、発光ダイオード２０からの光が不所望に周囲に漏れることなく、バンドパスフィルタ６０を通して外部へ出すことができる。また、ヒートシンク５０が発光ダイオードランプ１０の外側に直接露出しているので、発光中の発光ダイオード２０からの熱がヒートシンク５０を介して外部へ放出されやすいという利点がある。
【００４４】
（変形例５）
また、図９に示すように、一対の発光ダイオード２０ａ，２０ｂと、各発光ダイオード２０ａ，２０ｂにそれぞれ対応する反射面３４ａ，３４ｂを組み合わせて発光ダイオードランプ１０を構成してもよい。反射面３４ａ，３４ｂはそれぞれ別個の焦点Ｆａ，Ｆｂを有しており、一対の発光ダイオード２０ａ，２０ｂの各発光中心Ｃａ，Ｃｂはそれぞれ対応する反射面３４ａ，３４ｂの焦点Ｆａ，Ｆｂに一致している。
【００４５】
これにより、複数の発光ダイオード２０ａ，２０ｂを用いて発光ダイオードランプ１０を構成する場合であっても、個々の発光中心を各反射面３４ａ，３４ｂの焦点Ｆａ，Ｆｂに合わせることができるので、焦点Ｆａ，Ｆｂからずれて各発光ダイオード２０ａ，２０ｂから放射され、反射面３４ａ，３４ｂで反射した後で平行光にならない光を低減することができる。この結果、複数の発光ダイオード２０ａ，２０ｂを用いる場合であっても、バンドパスフィルタ６０の入射角依存性にかかわらず、発光ダイオードランプ１０から不所望な波長の光を出してしまう可能性を極小化できる。
【００４６】
（変形例６）
また、ヒートシンク５０がリフレクタ３０の反射面３４を規定する回転放物面の欠けた部分を含むようにすることは、図１０に示すような場合も含まれる。図１０に示す発光ダイオードランプ１０では、リフレクタ３０は完全な（一部が欠けていない）回転放物面で規定された凹所８０を有している。そして、ヒートシンク５０は発光ダイオード配設側面５２の反対側に凹所８０を規定するのと同じ回転放物面の一部で規定された曲面８２を有しており、ヒートシンク５０は、リフレクタ３０の凹所８０の表面に曲面８２をぴったりと当接させるようにして当該凹所８０内に配設されている。このとき、ヒートシンク５０の発光ダイオード配設側面５２は上述した実施例で述べた切断面ＰＢと一致しており、発光ダイオード２０の発光中心Ｃは凹所８０を規定する回転放物面の焦点Ｆの位置と一致するようになっている。また、反射面３４は、ヒートシンク５０の曲面８２が凹所８０の表面に当接しない範囲に形成されている。
【００４７】
図１０に示すような発光ダイオードランプ１０であっても、発光中の発光ダイオード２０からの熱はヒートシンク５０の曲面８２から凹所８０の表面を介してリフレクタ本体３２に伝わり、リフレクタ本体３２から外部へ放出されることになる。
【００４８】
（変形例７）
上述した実施例では、発光ダイオード２０をヒートシンク５０の発光ダイオード配設側面５２に直接取り付けるようにしていたが、発光ダイオード２０は、その発光中心Ｃが反射面３４を規定する回転放物面の焦点Ｆに一致されていればどのような態様でヒートシンク５０に取り付けられていてもよい。例えば、図１１に示すように発光ダイオード２０を実装基板８４に実装し、然る後、発光ダイオード２０が実装された実装基板８４をヒートシンク５０の発光ダイオード配設側面５２に接着等の手段で取り付けてもよい。
【００４９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５０】
１０…発光ダイオードランプ
２０…発光ダイオード、２２…発光ダイオード素子、２４…レンズ
３０…リフレクタ、３２…リフレクタ本体、３４…反射面、３６…開口、３８…凹所
５０…ヒートシンク、５２…発光ダイオード配設側面
６０…バンドパスフィルタ、６２…入光側平面
７０，７２，７４…遮光部材、７６…段、７８…遮光部材
８０…凹所、８２…曲面、８４…実装基板
【図１】
2019012091.tif 000003
【図２】
2019012091.tif 000004
【図３】
2019012091.tif 000005
【図４】
2019012091.tif 000006
【図５】
2019012091.tif 000007
【図６】
2019012091.tif 000008
【図７】
2019012091.tif 000009
【図８】
2019012091.tif 000010
【図９】
2019012091.tif 000011
【図１０】
2019012091.tif 000012
【図１１】
2019012091.tif 000013
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
赤外線光を発する発光ダイオードと、
一部を欠いた回転放物面で規定された反射面、および、前記反射面で反射した前記発光ダイオードからの光を外部へ放射する開口を有するリフレクタと、
前記発光ダイオードの発光中心が前記回転放物面の焦点位置と一致するように前記発光ダイオードを保持するとともに、前記反射面を規定する前記回転放物面の欠けた部分を含むようにして前記リフレクタと組み合わされるヒートシンクと、
前記リフレクタの前記開口を覆うとともに、前記回転放物面の回転軸と互いに直交する入光側平面を有しており、前記発光ダイオードからの可視光を遮断する機能を有するバンドパスフィルタと、
前記回転放物面の前記回転軸と互いに平行な角度で前記リフレクタの前記開口側から見たときに前記発光ダイオードを直視できないようにする遮光部材とを備える発光ダイオードランプ。
【請求項２】
前記遮光部材は、前記反射面で反射せずに前記開口から出る光を遮る形状となっていることを特徴とする請求項１に記載の発光ダイオードランプ。
【請求項３】
前記遮光部材は、前記ヒートシンクにおける前記発光ダイオードよりも前記開口側に位置する部分であることを特徴とする請求項１または２に記載の発光ダイオードランプ。
【請求項４】
前記遮光部材における前記発光ダイオードからの光に照らされる部分の表面には、光吸収層が設けられていることを特徴とする請求項１から３のいずれか１項に記載の発光ダイオードランプ。
【請求項５】
前記発光ダイオードからの光のピーク波長は９００ｎｍ以上１１００ｎｍ以下であることを特徴とする請求項１から４のいずれか１項に記載の発光ダイオードランプ。
【手続補正２】
【補正対象書類名】明細書
【補正対象項目名】００１０
【補正方法】変更
【補正の内容】
【００１０】
本発明の一局面によれば、
赤外線光を発する発光ダイオードと、
一部を欠いた回転放物面で規定された反射面、および、前記反射面で反射した前記発光ダイオードからの光を外部へ放射する開口を有するリフレクタと、
前記発光ダイオードの発光中心が前記回転放物面の焦点位置と一致するように前記発光ダイオードを保持するとともに、前記反射面を規定する前記回転放物面の欠けた部分を含むようにして前記リフレクタと組み合わされるヒートシンクと、
前記リフレクタの前記開口を覆うとともに、前記回転放物面の回転軸と互いに直交する入光側平面を有しており、前記発光ダイオードからの可視光を遮断する機能を有するバンドパスフィルタと、
前記回転放物面の前記回転軸と互いに平行な角度で前記リフレクタの前記開口側から見たときに前記発光ダイオードを直視できないようにする遮光部材とを備える発光ダイオードランプが提供される。
【手続補正３】
【補正対象書類名】明細書
【補正対象項目名】００１１
【補正方法】削除
【補正の内容】